(57)【要約】【課題】障害者用の呼び出し装置は、センサーに誤って接触したり、体を移動する時に光を遮断したり、大きな物音を発したりして誤って呼び出しをするため、呼び出しを検出するセンサーの感度等を調整する操作ボタンが設けられている。  操作ボタンに患者または看護師等が触れて調整度合が変更され正しく呼び出しが出来ないことがある。  【解決手段】呼び出しを検出するセンサーの感度を調整する機能を持つ感度調整ボタンは押下の開始から一定時間は感度を調整する機能を有し、さらに感度調整ボタンが継続して押下されている場合は全ての操作ボタンの操作を以降無効にする手段を備える。  【選択図】図１
2007195835.tif 000002
【特許請求の範囲】
【請求項１】
患者または被介護者が看護師または介護者を呼ぶための呼び出し装置において、操作者が操作ボタンを継続して押下している長さに応じて押下の開始から一定時間の間は前記操作ボタンの操作機能が第１の機能として動作し、引き続いて前記操作ボタンが押下されていると次の一定時間の間は第２の機能として動作することを特徴とする呼び出し装置。
【請求項２】
呼び出しを検出するセンサーの検出レベルが設定された感度を超過した場合に呼び出しがあったと判定する呼び出し装置において、感度を調整する機能を持つ感度調整ボタンは押下の開始から一定時間は感度を調整する機能を有し、さらに前記感度調整ボタンが継続して押下されている場合は全ての操作ボタンの操作を無効にする機能を有することを特徴とする請求項１記載の呼び出し装置。
【請求項３】
呼び出しを検出するセンサーの検出レベルが設定された感度を超過している時間の長さで呼び出しがあったと判定する呼び出し装置において、判定する時間の長さを調整する機能を持つ時間調整ボタンは押下の開始から一定時間は時間の長さを調整する機能を有し、さらに前記時間調整ボタンが継続して押下されている場合はボタン操作の操作音および呼び出し音を発生させない機能を有することを特徴とする請求項１記載の呼び出し装置。
【請求項４】
呼び出しを検出するセンサーの検出レベルが設定された感度を超過している回数で呼び出しがあったと判定する呼び出し装置において、判定する回数を調整する機能を持つ回数調整ボタンは押下の開始から一定時間は回数を調整する機能を有し、さらに前記回数調整ボタンが継続して押下されている場合は操作ボタンの操作無効および操作音や呼び出し音の消音を解除する機能を有することを特徴とする請求項１記載の呼び出し装置。
【発明の詳細な説明】
【技術分野】
【０００１】
本発明は、病院や福祉介護施設で使用されるナースコールのための呼び出し装置に関する。
【背景技術】
【０００２】
周知の様に、病院や福祉介護施設では主に看護師（福祉介護施設では介護士など）と患者が通話する
為のナースコール装置が設置されている。  このナースコール装置では、患者が呼び出しに使用する
呼び出し子機が各ベッドに備えられ、ナースステーションにはナースコール親機が設置されていて、
その間で通話できるようになっている。（特許文献１を参照）
【０００３】
病院や福祉介護施設でナースコール装置に使用される患者が看護師を呼び出す呼び出し装置は、通常は呼び出しボタンが使用される。  しかし、手足や指など体に障害を持つ患者は、呼び出しボタンを押下して看護師を呼ぶことが出来ない場合がある。  この様な場合には、息を吹きかけて呼び出しを行う呼気式や体の一部をセンサーに接触して呼び出す接触式や一定以上の音声に反応する音圧式や光の反射や遮断を検出する受光式やまばたき・視線を検出する画像式などのセンサーを使用して呼び出しの意思を検出し、呼び出しを行っている。（特許文献２を参照）
【特許文献１】特許第２８８７５５２号公報
【特許文献２】特許公開２００５−１５９４５９
【発明の開示】
【発明が解決しようとする課題】
【０００４】
障害者用の呼び出し装置は、センサーに誤って接触したり、体を移動する時に光を遮断したり、大きな物音を発したりして誤って呼び出しをすることがある。  逆にセンサーの感度が低いために呼び出しても呼び出しを検出しないことがある。    誤呼び出しを防ぐためには呼び出しを検出するセンサーの感度を調整する方法、検出する時間の長さを調整する方法、検出する回数を調整する方法があり、調整するための操作ボタンが設けられている。
【０００５】
しかし、誤呼び出しを防止する為の操作ボタンに患者または看護師等が触れて調整度合が変更され正しく呼び出しが出来ないことがある。    これが第１の課題である。
【０００６】
操作が確実に実施されたかを確認するために操作ボタンを操作する度に操作音を発生させている。
また、呼び出しを行った時に呼び出し中を患者に知らせるために呼び出し音を発している。
複数人が在室している病室では、夜間に出来る限り音を発したくない。これが第２の課題である。
【課題を解決するための手段】
【０００７】
呼び出しを検出するセンサーの感度を調整する機能を持つ感度調整ボタンは押下の開始から一定時間は感度を調整する機能を有し、さらに感度調整ボタンが継続して押下されている場合は全ての操作ボタンの操作を無効にする手段を備える。
【０００８】
呼び出しを判定する時間の長さを調整する機能を持つ時間調整ボタンは押下の開始から一定時間は時間の長さを調整する機能を有し、さらに時間調整ボタンが継続して押下されている場合はボタン操作の操作音および呼び出し音を発生させない手段を備える。
【発明の効果】
【０００９】
本発明は、  操作を禁止することで誤って操作ボタンに接触しても、調整度合が変化することが無いため、誤呼び出しが無くなる。  また、夜間は消音できるので、他の患者の睡眠を妨げることがない。    呼び出し装置自体は、操作する長さを利用することで操作目的を達成できるので、操作ボタンを新たに設けなくて済み経済的である。
【発明を実施するための最良の形態】
【００１０】
以下、本発明の一実施形態を図面に基づいて説明する。
図１は、  呼び出し装置の構成を示す。    呼び出しを感知するセンサー（１）が出力する信号をセンサー検出部（２）で受け取り、その信号が設定された感度を超過すると呼び出しが発生したことを呼び出し判定部（３）へ送る。    
【００１１】
呼び出し判定部（３）では、センサーの出力信号が感度を超過してから継続する時間が設定された時間以上あった場合に呼び出しがあったと判定し、かつ検出する回数が２回以上に設定されていると一定時間内に設定された回数と同じか超えた場合に呼び出しがあったと判定する。
【００１２】
制御処理部（４）は、呼び出し装置の全体を制御し、マイクロコンピュータなどで構成する。  
制御処理部（４）は、操作部（５）と入出力部（６）を経由して接続し、感度、時間、および回数の調整などの操作を受け、センサー検出部（２）へ感度の指示を送出し、呼び出し判定部（３）へ時間や回数を指示する。
【００１３】
制御処理部（４）は、呼び出し判定部（３）から呼び出しの判定信号を受け取ると、呼び出し出力部（７）を経由してナースコール親機へ呼び出しがあったことを伝える。
制御処理部（４）はマイクロコンピュータを使用した場合、センサー検出部（２）と呼び出し判定部（３）の一部または大部分の機能をソフトウェアで実現することも可能である。
【００１４】
操作部（５）には、感度調整ボタン（９）  、時間調整ボタン（１０）  、  回数調整ボタン（１１）  、センサー切り替えボタン（１２）  、表示部（１３）  、発音部（１４）が設けられる。
感度調整ボタン（９）は、呼び出しを検出するセンサーの検出閾値を変更するスイッチである。
【００１５】
図２に調整ボタンと各調整ボタンのレベル表示を示す。
感度調整ボタン（９）を一回押下するごとに感度が小から大へ1つづつ上昇し、最大感度からさらにボタンを押下すると最小感度へ戻り、循環して繰り返す。  表示部（１５）は、感度がどこの位置にあるか表示する。  感度調整ボタン（９）を押しつづけていると、ある一定期間は感度レベルを循環して一定速度で変化していく。  一定期間を過ぎると第２の機能として動作する。    ここでは第２の機能は、操作ボタンが以降操作無効になる機能として働く。  
【００１６】
時間調整ボタン（１０）は、一回押下するごとに感度を超過している時間の長さを短い時間から長い時間へ1つづつ上昇し、最大時間長からさらにボタンを押下すると最小時間長へ戻り、循環して繰り返す。  時間調整ボタン（１０）を押しつづけていると、ある一定期間は時間長を循環して一定速度で変化していく。  一定期間を過ぎると第２の機能として動作する。    ここでは第２の機能は、操作ボタンの操作確認音および呼び出し中の音が以降出ないように働く。  表示部（１６）は、時間の設定がどこの位置にあるかを表示する。
【００１７】
回数調整ボタン（１１）は、一回押下するごとに感度を超過した回数の設定が1つづつ上昇し、最大回数からさらにボタンを押下すると最小回数１回へ戻り、循環して繰り返す。  
回数調整ボタン（１１）を押しつづけていると、ある一定期間は時間長を循環して一定速度で変化していく。  一定期間を過ぎると第２の機能として動作する。    ここでは第２の機能は、操作ボタン無効および操作音、呼び出し音の消音を全て解除する。    表示部（１７）は、回数の設定がどこの位置にあるかを表示する。
【００１８】
センサー切り替えボタン（１２）は、１台の呼び出し装置に複数のセンサーが備えられている場合にどのセンサーで呼び出しを検出するかを選択するスイッチである。  １つまたは複数のセンサーを選択できる。    センサーには接触を検知するもの、息吹き（ブレス）を検知するもの、体の一部で光を反射または遮断して検知するもの、音や声の大きさで検知するものなどがある。
【００１９】
操作部（５）で操作した内容はメモリ部（８）に記憶され、次に操作変更されるまで保持していて制御処理部（４）がメモリ部（８）から読み出して呼び出しの判定条件として利用する。
【００２０】
上記では操作ボタンを押下している時間の長さによって第１の機能、第２の機能を示したが、さらに第３の機能、第４の機能を持たせても良い。
操作ボタンを押下する毎にまたは押下中に調整レベルを循環させることと、表示部の表示を変化させることと、操作ボタンを押下している時間の長さで第１の機能、第２の機能の動作を判定することを操作部（５）で行わず、制御処理部（４）で内蔵しているタイマーとソフトウェアに拠り実現しても良い。
【図面の簡単な説明】
【００２１】
【図１】呼び出し装置の構成
【図２】呼び出し装置の調整ボタン
【符号の説明】
【００２２】
1.                       
センサー
2.                       
センサー検出部
3.                       
呼び出し判定部
4.                       
制御処理部
5.                       
操作部
6.                       
入出力部
7.                       
呼び出し出力部
8.                       
メモリ部
9.                       
感度調整ボタン
10.               
時間調整ボタン  
11.               
回数調整ボタン
12.               
センサー切り替えボタン
13.               
表示部
14.               
発音部
15.               
感度表示部（１５）
16.               
時間表示部（１６）
17.               
回数表示部（１７）
【図１】
2007195835.tif 000003
【図２】
2007195835.tif 000004